(57)【要約】【課題】釣り用リールにおいて、ハンドル軸にハンドルアームを固定するねじ部材が緩むのを防止する。【解決手段】この釣り用リールは、ハンドル軸８と、ハンドルアーム１０と、ナット部材１２と、ストッパ２４と、を備えている。ハンドル軸８は先端部にギア部１５を有する。ハンドルアーム１０は、ハンドル軸８が係合する長孔１０ｃを有し、ハンドル軸８を長孔１０ｃに沿った任意の位置で固定可能である。ナット部材１２は、ハンドル軸８の雄ねじ部１６に螺合する雌ねじ部２１ｃを有し、ハンドルアーム１０をハンドル軸８の先端部に取り付ける。ストッパ２４は、ナット部材１２に設けられ、ハンドル軸８のギア部１５に係合してナット部材１２の緩み方向の回転を禁止する第１姿勢と、ギア部１５との係合が解除されてナット部材の緩み方向の回転を許容する第２姿勢と、を取り得る。【選択図】図５
2014212770.tif 000002
【特許請求の範囲】
【請求項１】
リール本体と、
前記リール本体に回転自在に支持され、先端部に緩み止め用係合部及び雄ねじ部を有するハンドル軸と、
第１端部から第２端部に向かって前記ハンドル軸と交差する方向に延び、前記ハンドル軸が回転不能に係合するとともに長手方向に延びる長孔を第１端部に有し、前記ハンドル軸の先端部を前記長孔に沿った任意の位置で固定可能なハンドルアームと、
前記ハンドルアームの前記第２端部に回転自在に装着されたハンドル把手と、
前記ハンドル軸の雄ネジ部に螺合する雌ねじ部を有し、前記ハンドルアームを前記ハンドル軸の先端部に取り付けるためのナット部材と、
前記ナット部材に設けられ、前記ハンドル軸の緩み止め用係合部に係合して前記ハンドル軸に締め付けられた前記ナット部材の緩み方向の回転を禁止する第１姿勢と、前記緩み止め用係合部との係合が解除されて前記ナット部材の緩み方向の回転を許容する第２姿勢と、を取り得る緩み止め部材と、
を備えた釣り用リール。
【請求項２】
前記緩み止め部材を前記第１姿勢と前記第２姿勢とで切換操作する切換操作手段をさらに備えた、請求項１に記載の釣り用リール。
【請求項３】
前記ナット部材は、
前記雌ねじ部が形成された本体部と、
前記本体部に開閉自在に装着されたレバー部と、
を有し、
前記緩み止め部材は、前記レバー部に設けられ、前記レバー部の閉姿勢で前記緩み止め用係合部に係合するとともに開姿勢で前記緩み止め用係合部から離脱する爪を有する、
請求項１又は２に記載の釣り用リール。
【請求項４】
前記爪を前記緩み止め係合部側に付勢する爪付勢部材をさらに備えた、請求項３に記載の釣り用リール。
【請求項５】
前記緩み止め部材は前記レバー部の前記ハンドル軸と対向する面に設けられている、請求項３又は４に記載の釣り用リール。
【請求項６】
前記レバー部は、一方向に長く形成されるとともに一端部が前記本体部に開閉自在に連結されており、開姿勢で他端部が前記ハンドル軸と交差する方向に延びる、請求項３から５のいずれかに記載の釣り用リール。
【請求項７】
前記レバー部を閉姿勢に維持するための維持機構をさらに備えた、請求項３から６のいずれかに記載の釣り用リール。
【請求項８】
前記維持機構は、
前記本体部に設けられ、前記ハンドル軸と交差する方向に進退自在なピンと、
前記レバー部に設けられ、前記レバー部が閉姿勢のときに前記ピンの先端部が係合可能な凹部と、
前記ピンを前記凹部に付勢するピン付勢部材と、
を有する、請求項７に記載の釣り用リール。
【請求項９】
前記緩み止め用係合部は前記ハンドル軸の先端に形成された複数の歯を有する、請求項３から８のいずれかに記載の釣り用リール。
【請求項１０】
前記複数の歯は、前記ハンドル軸に沿った方向の先端部に、先端に行くにしたがって外径が小さくなるようにテーパ面を有している、請求項９に記載の釣り用リール。
【請求項１１】
前記緩み止め部材は、前記レバー部の前記ハンドル軸と対向する面に設けられ前記複数の歯と噛み合う複数の凹部を有するストッパプレートを有する、請求項９に記載の釣り用リール。
【請求項１２】
前記ストッパプレートは所定の角度範囲で回転可能に前記レバー部に支持されており、
前記ストッパプレートを所定の角度位置に付勢するプレート付勢部材をさらに備えた、
請求項１１に記載の釣り用リール。
【請求項１３】
前記複数の歯は、前記ハンドル軸に沿った方向の先端部に、先端に行くにしたがって歯幅が狭くなるようなテーパ面を有している、請求項１１又は１２に記載の釣り用リール。
【請求項１４】
前記緩み止め部材は、
前記ナット部材に回動自在に設けられ、前記緩み止め用係合部に係合する前記第１姿勢と、前記緩み止め用係合部から離脱する前記第２姿勢と、を取り得るストッパと、
前記ストッパを前記第１姿勢側に付勢する付勢部材と、
前記付勢部材の付勢力に抗して前記ストッパを前記第２姿勢にするための操作部材と、
を有する、請求項１又は２に記載の釣り用リール。
【請求項１５】
前記切換操作手段は前記レバー部である、請求項２に記載の釣り用リール。
【請求項１６】
前記切換操作手段は前記操作部材である、請求項１４に記載の釣り用リール。
【発明の詳細な説明】
【技術分野】
【０００１】
本発明は釣り用リールに関する。
【背景技術】
【０００２】
釣り用リールには、釣り糸を巻き取るためのハンドル組立体が設けられている。ハンドル組立体は、ハンドル軸の先端に固定されたハンドルアームと、ハンドアームの先端に設けられるハンドル把手と、を有している。また、ハンドルアームの長さを変更できるようにしたハンドル組立体も従来から提供されている。
【０００３】
例えば特許文献１に示された釣り用リールでは、ナット部材を手動によって締め付けたり緩めたりすることによって、ハンドルアームの長さを変更することができる。また、特許文献２及び特許文献３に示された釣り用リールのハンドル装置では、ハンドルの回転操作によってナットやボルトを締め付けたり、緩めたりすることにより、ハンドルアームの長さを変更することができる。
【先行技術文献】
【特許文献】
【０００４】
【特許文献１】特開２００４−１３５６２４号公報
【特許文献２】実公平３−１０８６０号公報
【特許文献３】特開２００４−２２２５５９号公報
【発明の概要】
【発明が解決しようとする課題】
【０００５】
特許文献１〜３に示されるように、ハンドル軸にハンドルアームを固定しているナットやボルトを緩めることによって、ハンドルアームのハンドル軸への取付け位置を変更し、ハンドルアームの長さを変更することができる。
【０００６】
しかし、特許文献１の構造では、使用中にナットが緩みやすく、ハンドル軸に対するハンドルアームの固定が安定しない。また、特許文献２及び３の構造では、ハンドルの釣糸巻取り操作によってナットやボルトが締め付けられるために、ハンドル荷重が大きくなるとねじにかかる荷重が過大になり、ねじが破損するおそれがある。さらに、特許文献３の構造では、シャクリ操作によってハンドルが釣糸巻取り方向とは逆に回転し、ボルトが緩むおそれがある。
【０００７】
本発明の課題は、釣り用リールにおいて、ハンドルアームの長さを変更できるようにするとともに、ハンドル軸にハンドルアームを固定するねじ部材が緩むのを防止することにある。
【課題を解決するための手段】
【０００８】
本発明の第１側面に係る釣り用リールは、リール本体と、ハンドル軸と、ハンドルアームと、ハンドル把手と、ナット部材と、緩み止め部材と、を備えている。ハンドル軸は、リール本体に回転自在に支持され、先端部に緩み止め用係合部及び雄ねじ部を有する。ハンドルアームは、第１端部から第２端部に向かってハンドル軸と交差する方向に延び、ハンドル軸が回転不能に係合するとともに長手方向に延びる長孔を第１端部に有し、ハンドル軸の先端部を長孔に沿った任意の位置で固定可能である。ハンドル把手はハンドルアームの第２端部に回転自在に装着されている。ナット部材は、ハンドル軸の雄ねじ部に螺合する雌ねじ部を有し、ハンドルアームをハンドル軸の先端部に取り付ける。緩み止め部材は、ナット部材に設けられ、ハンドル軸の緩み止め用係合部に係合してハンドル軸に締め付けられたナット部材の緩み方向の回転を禁止する第１姿勢と、緩み止め用係合部との係合が解除されてナット部材の緩み方向の回転を許容する第２姿勢と、を取り得る。
【０００９】
この釣り用リールでは、ハンドル軸の先端に、ハンドルアームがナット部材によって固定される。ハンドルアームには長孔が形成されており、この長孔に対するハンドル軸の固定位置を変更することによって、ハンドルアームの長さを変更することができる。
【００１０】
そして、ハンドルアームをハンドル軸に固定した状態で緩み止め部材を第１姿勢にすることにより、ナット部材の緩みが防止される。また、ハンドルアームの長さを変える場合は、緩み止め部材を第２姿勢にすることによって、ナット部材を緩めることができる。したがって、例えばナット部材の形状を手動で操作可能にした場合は、ナット部材の締め付けを釣り人が簡単に行え、またナット部材の緩みを防止できる。
【００１１】
本発明の第２側面に係る釣り用リールは、第１側面の釣り用リールにおいて、緩み止め部材を第１姿勢と第２姿勢とで切換操作する切換操作手段をさらに備えている。
【００１２】
ここでは、切換操作手段によって、緩み止め部材が第１姿勢と第２姿勢との間で切り換えられる。
【００１３】
本発明の第３側面に係る釣り用リールは、第１又は第２側面の釣り用リールにおいて、ナット部材は、雌ねじ部が形成された本体部と、本体部に開閉自在に装着されたレバー部と、を有している。緩み止め部材は、レバー部に設けられ、レバー部の閉姿勢で緩み止め用係合部に係合するとともに開姿勢で緩み止め用係合部から離脱する爪を有する。
【００１４】
この釣り用リールでは、ナット部材のレバー部を開姿勢にすると、レバー部に設けられた爪がハンドル軸の緩み止め用係合部から外れる。したがって、この状態では、ナット部材を緩め、ハンドルアームとハンドル軸との固定位置を変えることができる。一方、レバー部を閉姿勢にすると、レバー部の爪がハンドル軸の緩み止め用係合部に係合し、ナット部材の緩みが防止される。
【００１５】
ここでは、レバー部を本体部に対して開閉することによって、ナット部材の緩み方向への回転を禁止したり、許容したりすることができる。
【００１６】
本発明の第４側面に係る釣り用リールは、第３側面の釣り用リールにおいて、爪を緩み止め係合部側に付勢する爪付勢部材をさらに備えている。
【００１７】
ここでは、爪が爪付勢部材によって付勢され、これにより爪の緩み止め係合部に対する係合が安定する。
【００１８】
本発明の第５側面に係る釣り用リールは、第３又は第４側面の釣り用リールにおいて、緩み止め部材はレバー部のハンドル軸と対向する面に設けられている。
【００１９】
ここでは、レバー部のハンドル軸と対向する面、すなわち裏面に緩み止め部材が設けられているので、レバー部を本体部に対して閉めた状態では緩み止め部材が外部に表れない。したがって、緩み止め部材に釣糸が掛かる等の不具合を防止できる。
【００２０】
本発明の第６側面に係る釣り用リールは、第３から第５側面のいずれかの釣り用リールにおいて、レバー部は、一方向に長く形成されるとともに一端部が本体部に開閉自在に連結されており、開姿勢で他端部がハンドル軸と交差する方向に延びる。
【００２１】
ここでは、本体部からレバー部を開けると、レバー部がハンドル軸と交差する方向に延びた状態になる。したがって、このレバー部を、ナット部材を回転させるときにレバーとして機能させることができ、手動でのナット部材の操作が容易になる。
【００２２】
本発明の第７側面に係る釣り用リールは、第３から第６側面のいずれかの釣り用リールにおいて、レバー部を閉姿勢に維持するための維持機構をさらに備えている。
【００２３】
ここでは、本体部に対してレバー部を閉めたときに、維持機構によってレバー部の閉姿勢が維持される。したがって、使用時にレバー部が意図せずに開くのを防止できる。
【００２４】
本発明の第８側面に係る釣り用リールは、第７側面の釣り用リールにおいて、維持機構は、ピンと、凹部と、ピン付勢部材と、を有する。ピンは、本体部に設けられ、ハンドル軸と交差する方向に進退自在である。凹部は、レバー部に設けられ、レバー部が閉姿勢のときにピンの先端部が係合可能である。ピン付勢部材はピンを凹部に付勢する。
【００２５】
ここでは、レバー部を閉めると、本体部のピンがレバー部の凹部に入り込み、その状態がピン付勢部材によって維持される。このため、簡単な機構でレバー部の閉姿勢を安定されることができる。
【００２６】
本発明の第９側面に係る釣り用リールは、第３から第８側面のいずれかの釣り用リールにおいて、緩み止め用係合部はハンドル軸の先端に形成された複数の歯を有する。
【００２７】
ここでは、レバー部の爪がハンドル軸の複数の歯に係合することによってナット部材の緩みが防止される。
【００２８】
本発明の第１０側面に係る釣り用リールは、第９側面の釣り用リールにおいて、複数の歯は、ハンドル軸に沿った方向の先端部に、先端に行くにしたがって外径が小さくなるようにテーパ面を有している。
【００２９】
ここでは、複数の歯の先端部がテーパ面になっているので、レバー部を閉める際に、レバー部の爪が複数の歯に係合しやすくなる。
【００３０】
本発明の第１１側面に係る釣り用リールは、第９側面の釣り用リールにおいて、緩み止め部材は、レバー部のハンドル軸と対向する面に設けられ複数の歯と噛み合う複数の凹部を有するストッパプレートを有する。
【００３１】
ここでは、レバー部に設けられたストッパプレートの複数の凹部が、ハンドル軸の複数の歯と係合することによって、ナット部材の緩みが防止される。
【００３２】
本発明の第１２側面に係る釣り用リールは、第１１側面の釣り用リールにおいて、ストッパプレートは所定の角度範囲で回転可能にレバー部に支持されている。そして、ストッパプレートを所定の角度位置に付勢するプレート付勢部材をさらに備えている。
【００３３】
ここでは、ストッパプレートが回転可能であるので、本体部に対してレバー部を閉める際に、ストッパプレートの凹部とハンドル軸の複数の歯が噛み合わない場合に、ストッパプレートがプレート付勢部材の付勢力に抗して回転する。そして、凹部と歯とが噛み合い、両者が係合する。
【００３４】
本発明の第１３側面に係る釣り用リールは、第１１又は第１２側面の釣り用リールにおいて、複数の歯は、ハンドル軸に沿った方向の先端部に、先端に行くにしたがって歯幅が狭くなるようなテーパ面を有している。
【００３５】
ここでは、複数の歯の先端部がテーパ面になっているので、レバー部を閉める際に、ストッパプレートの凹部が複数の歯に係合しやすくなる。
【００３６】
本発明の第１４側面に係る釣り用リールは、第１又は第２側面の釣り用リールにおいて、緩み止め部材は、ストッパと、付勢部材と、操作部材と、を有している。ストッパは、ナット部材に回動自在に設けられ、緩み止め用係合部に係合する第１姿勢と、緩み止め用係合部から離脱する第２姿勢と、を取り得る。付勢部材はストッパを第１姿勢側に付勢する。操作部材は付勢部材の付勢力に抗してストッパを第２姿勢にする。
【００３７】
ここでは、ストッパが付勢部材によって第１姿勢側に付勢され、緩み止め用係合部に係合している。この状態では、ナット部材は緩み方向への回転が禁止されている。一方、操作部材によってストッパを第２姿勢にすると、ストッパの緩み止め用係合部への係合が解除される。
【００３８】
本発明の第１５側面に係る釣り用リールは、第２側面の釣り用リールにおいて、切換操作手段はレバー部である。
【００３９】
本発明の第１６側面に係る釣り用リールは、第１４側面の釣り用リールにおいて、切換操作手段は操作部材である。
【図面の簡単な説明】
【００４０】
【図１】本発明の一実施形態による両軸受リールの斜視図。
【図２】ハンドルアーム連結部分の分解斜視図。
【図３】ハンドル軸の先端部分の外観図。
【図４】緩み止めのための機構を模式的に示す図。
【図５】ナット部材を開いた状態を示す外観斜視図。
【図６】ナット部材とハンドル軸との関係を示す断面部分図。
【図７】維持機構を示す側面部分図。
【図８】他の実施形態によるハンドル軸の緩み止め用係合部を示す外観斜視図。
【図９】他の実施形態による図５に対応する図。
【図１０】さらに他の実施形態によるナット部材の外観斜視図。
【図１１】図１０に示したナット部材の平面図。
【発明を実施するための形態】
【００４１】
［全体構成］
本発明の一実施形態による釣り用リールとしての両軸受型リール１を図１に示す。この両軸受型リール１は、リール本体２と、リール本体２に回転自在に支持されたスプール３と、ハンドル組立体４と、を備えている。リール本体２は、フレーム５と、フレーム５のハンドル組立体４が装着されている側を覆うカバー部材６と、を有している。
【００４２】
ハンドル組立体４は、リール本体２に回転自在に支持されたハンドル軸８に固定されており、ハンドルアーム１０と、ハンドル把手１１と、ナット部材１２と、を有している。また、ナット部材１２には、ナット部材１２の緩み止めのための緩み止め部材（後述）が設けられている。
【００４３】
［ハンドル軸８］
ハンドル軸８は、図２に示すように、緩み止め用係合部としてのギア部１５と、雄ねじ部１６と、回転禁止用の係合部１７と、を有している。
【００４４】
ギア部１５は、複数の歯を有しており、図３に示すように、ハンドル軸８に沿った方向の先端部が、先端に行くにしたがって外径が小さくなるようにテーパ面１５ａを有している。また、各歯は、図３及び図４に示すように、一方の歯面１５ｂが他方の歯面１５ｃに比較して歯底円からの立ち上がり角度が急になるように形成されており、ラチェット歯になっている。なお、図４は、ハンドル軸８の軸方向に沿ってハンドル軸８から離れた方向から視た図であり、ナット部材１２等の他の部材は省略している。
【００４５】
図２に示すように、雄ねじ部１６及び回転禁止用の係合部１７は、ハンドル軸方向において同じ位置に形成されている。係合部１７は断面が小判形状に形成されている。
【００４６】
［ハンドルアーム１０及びハンドル把手１１］
ハンドルアーム１０は、図１及び図２に示すように、第１端部１０ａから第２端部１０ｂに向かってハンドル軸８と直交する方向に延びる金属製の板状部材である。このハンドルアーム１０には、第１端部１０ａに、長手方向に沿って延びる長孔１０ｃが形成されている。この長孔１０ｃに、ハンドル軸８の係合部１７が係合している。したがって、ハンドルアーム１０は、ハンドル軸８と相対回転不能であり、かつハンドル軸８との固定位置を長孔１０ｃが形成された範囲で変更することが可能である。ハンドル把手１１は、ハンドルアーム１０の他端部に回転自在に支持されている。
【００４７】
［ナット部材１２］
ナット部材１２は、図５及び図６に示すように、本体部２１と、切換操作手段としてのレバー部２２と、を有している。なお、図５ではレバー部２２を本体部２１から開いた開姿勢を示し、図６ではレバー部２２を本体部２１に閉めた閉姿勢を部分的に示している。ナット部材１２は、本体部２１をハンドル軸８の雄ねじ部１６に螺合することによって、ハンドルアーム１０をハンドル軸８に固定可能である。
【００４８】
本体部２１は台座部２１ａ及び１対の側壁部２１ｂを有している。台座部２１ａは、概略楕円形状の板状に形成されており、ハンドル軸８の雄ねじ部１６に螺合する雌ねじ部２１ｃを中央部に有している。
【００４９】
レバー部２２は、本体部２１の１対の側壁部２１ｂの間に配置されており、長手方向の一端に形成された支持部２２ａと、他端に形成されたボス部２２ｂと、これらを連結する連結部２２ｃと、を有している。支持部２２ａは、１対の側壁部２１ｂにピン２３によって開閉自在に支持されている。ボス部２２ｂは、レバー部２２を閉姿勢にした場合に、台座部２１ａの上面に当接する。連結部２２ｃは、支持部２２ａ及びボス部２２ｂより厚みの薄い部分である。連結部２２ｃのハンドル軸８の先端と対向する面（裏面）には、図４〜図６に示すように、緩み止め部材としてのストッパ２４が設けられている。
【００５０】
ストッパ２４は、レバー部２２に沿って延びる細長形状であり、長手方向の中央部がピン２６によりレバー部２２の裏面に回動自在に支持されている。ストッパ２４の先端には爪２４ａが形成されており、ギア部１５の一方側の歯面１５ｂに係合可能である。ストッパ２４の爪２４ａが設けられた側と逆側の端部には、爪２４ａをギア部１５側に付勢する板ばね２７が設けられている。板ばね２７はレバー部２２の裏面に支持されている。
【００５１】
この爪２４ａがギア部１５の一方側の歯面１５ｂに係合することにより、図４に示すように、ナット部材１２とギア部１５（すなわち、ハンドル軸８）とは、相対的に、Ａ方向の回転（ナット部材１２を締め付ける方向の回転）は許容されるが、Ｂ方向の回転（ナット部材１２が緩む方向の回転）は禁止される。
【００５２】
［維持機構３０］
レバー部２２には、図７に示すように、レバー部２２を閉姿勢に維持するための維持機構３０が設けられている。維持機構３０は、ピン３１と、凹部２２ｄと、コイルスプリング３２と、を有している。ピン３１は、第１支持部２１ｃ及び第２支持プレート３３に形成された貫通孔に摺動自在に支持されている。第１支持部２１ｃはナット部材１２の台座部２１ａの上面に台座部２１ａと一体に形成されている。第２支持プレート３３は台座部２１ａの上面に固定されている。凹部２２ｄは、レバー部２２のボス部２２ｂの側面であって、第１支持部２１ｃと対向する面に形成されている。この凹部２２ｄに、レバー部２２が閉姿勢のときにピン３１の先端部が係合可能である。コイルスプリング３２は、ピン３１に形成された鍔部３１ａと第２支持プレート３３との間に配置され、鍔部３１ａすなわちピン３１を凹部２２ｄ側に付勢している。
【００５３】
このような構成により、ピン３１は、ハンドル軸８と交差する方向に進退自在であり、コイルスプリング３２により常に凹部２２ｄ側に付勢され、またボス部２２ｂの側面に当接することによって、コイルスプリング３２の付勢力に抗してボス部２２ｂから離れる方向に移動可能である。
【００５４】
［ハンドル長さの調整］
ハンドル長さを調整する場合は、ナット部材１２のレバー部２２を開けて開姿勢にする（図５参照）。レバー部２２を開姿勢にすることによって、レバー部２２の裏面のストッパ２４の爪２４ａとハンドル軸８のギア部１５の歯との係合が解除される。また、レバー部２２を開姿勢にした状態では、レバー部２２の先端（ボス部２２ｂ）がハンドル軸８から離れ、レバーの腕長さが長くなるので、ねじを締め付ける操作又は緩める操作が容易になる。次に、レバー部２２を操作してねじを緩める方向にナット部材１２を回すことにより、ナット部材１２をハンドルアーム１０から離すことができる。
【００５５】
以上の操作によって、ハンドル軸８に対するハンドルアーム１０の固定が解除され、ハンドルアーム１０を、その長手方向に移動させることができる。そして、ハンドルアーム１０の長孔１０ｃの所望の位置にハンドル軸８を位置させ、レバー部２２を持ってナット部材１２を先の操作とは逆に回すことによって、ナット部材１２をハンドル軸８の雄ねじ部１６に締め付けることができる。ナット部材１２の締め付けによって、ハンドルアーム１０がハンドル軸８に固定される。その後、レバー部２２を閉姿勢にする。
【００５６】
［ナット部材１２の緩み止めについて］
レバー部２２を開姿勢から閉姿勢にすると、レバー部２２の裏面に設けられたストッパ２４の爪２４ａがハンドル軸８のギア部１５の歯に係合する（図４参照）。したがって、ナット部材１２がハンドル軸８に対して緩み方向に回転するのを防止することができる。
【００５７】
なお、ストッパ２４の爪２４ａがギア部１５の歯に係合する際には、ギア部１５の先端にテーパ面１５ａが形成されているので、爪２４ａを歯にスムーズに係合させることができる。
【００５８】
また、ナット部材１２をハンドル軸８に締め付ける際には、レバー部２２を閉姿勢にしたままでも行うことが可能である。ギア部１５の歯は、図４等に示すように、ラチェット歯になっているので、ナット部材１２を図４のＡ方向の回転させた場合は、歯２４ａは歯の他方側の面１５ｃに乗り上げ、これと同時にストッパ２４は板ばね２７の付勢力に抗してピン２６の回りに時計方向に回動する。このようにして、ナット部材１２を締め付け方向に回転することができる。
【００５９】
［レバー部２２の姿勢維持］
レバー部２２を開姿勢から閉姿勢にするとき、ボス部２２ｂの側面が維持機構３０のピン３１の先端に当接する。この状態からレバー部２２をさらに台座部２１ａ側に押し込むと、ピン３１はコイルスプリング３２の付勢力に抗してボス部２２ｂから離れる方向に引っ込み、さらにレバー部２２を押し込むと、ボス部２２ｂに形成された凹部２２ｄにピン３１の先端が嵌り込む。このため、レバー部２２の閉姿勢が維持される。
【００６０】
［特徴］
（１）ナット部材１２に緩み止め部材としてのストッパ２４を設けているので、ナット部材１２を手動で軽く締め付けた場合であっても、ナット部材１２の緩みを確実に防止できる。
【００６１】
（２）レバー部２２を本体部２１に対して開閉することによって、ナット部材１２の緩み方向への回転を禁止したり、許容したりすることができる。そして、レバー部２２の開姿勢では、レバー部２２をナット部材１２を操作する際のレバーとして使用することができ、ナット部材１２の操作が容易になる。
【００６２】
（３）ストッパ２４の爪２４ａが板ばね２７によって常にギア部１５の歯に噛み合うように付勢されているので、爪２４ａの歯に対する係合が安定する。
【００６３】
（４）ストッパ２４はレバー部２２の裏面に設けられているので、レバー部２２を閉めた状態では、ナット部材１２の表面に部材は現れない。したがって、糸絡みを防止できる。
【００６４】
（５）レバー部２２を閉めたときに、ピン３１の先端がレバー部２２の凹部２２ｄに嵌り込み、レバー部２２の閉姿勢が維持される。したがって、使用時にレバー部２２が意図せずに開くのを防止できる。
【００６５】
（６）ギア部１５の歯の先端部にはテーパ面１５ａが形成されている。したがって、レバー部２２を閉める際に、爪２４ａが複数の歯に係合しやすくなる。
【００６６】
［他の実施形態］
本発明は以上のような実施形態に限定されるものではなく、本発明の範囲を逸脱することなく種々の変形又は修正が可能である。
【００６７】
（ａ）図８及び図９に、ハンドル軸８の緩み止め用係合部の変形例と、緩み止め部材の変形例を示す。図８に示す例では、ハンドル軸８の緩み止め用係合部は、ラチェット歯を有するギア部ではなく、複数の歯３５を有するスプライン軸３６で形成されている。スプライン軸３６の各歯３５は、図８に一部を拡大して示すように、先端部が、先端に行くにしたがって歯幅が狭くなるように１対のテーパ面３５ａを有している。
【００６８】
また、図９に示すように、緩み止め部材は溝付プレート３８で構成されている。溝付プレート３８は、レバー部２２の長手方向に沿って延び、連結部２２ｃの裏面に形成された溝２２ｅの内部に配置されている。溝付プレート３８は、中央部に形成された円板部３８ａと、円板部３８ａからレバー部２２の長手方向に沿って互いに逆方向に延びる１対の脚部３８ｂと、を有している。円板部３８ａには円形の孔３８ｃが形成されており、この円形の孔３８ｃの内周縁に、スプライン軸３６の各歯３５が噛み合い可能な複数の溝３８ｄが形成されている。また、１対の脚部３８ｂのそれぞれの先端部は、ビス４０の頭部と溝２２ｅとの間に若干の隙間が確保されて回動自在に支持されている。
【００６９】
溝付プレート３８の各脚部３８ｂと連結部２２ｃの溝２２ｅとの間には隙間が形成されている。そして、溝付プレート３８の脚部３８ｂは、ビス４０の頭部と溝２２ｅとの間に隙間が確保されて支持されているので、溝付プレート３８は、円形の孔３８ｃを中心に所定の角度範囲で回動自在である。
【００７０】
また、溝付プレート３８の円板部３８ａの外周部には、一部に平坦部３８ｅが形成されている。この平坦部３８ｅには、平面視で台形状のばね４１が当接しており、このばね４１の付勢力によって、溝付プレート３８は所定の回転位置に維持されている。
【００７１】
この実施形態では、レバー部２２を開姿勢から閉姿勢にすると、溝付プレート３８の溝３８ｄにスプライン軸３６の歯３５が係合する。したがって、レバー部２２を閉めた状態では、ナット部材１２が緩むのを防止できる。また、レバー部２２を閉姿勢にする際に、溝付プレート３８の溝３８ｄが形成されていない部分に歯３５が当たった場合は、溝付プレート３８はばね４１の付勢力に抗して回転し、スプライン軸３６の歯３５が溝付プレート３８の溝３８ｄに係合する。
【００７２】
このような実施形態によっても、前記実施形態と同様の作用効果を得ることができる。
【００７３】
（ｂ）図１０及び図１１に、さらに他の実施形態を示す。この実施形態は、ナット部材の構成が前記各実施形態と異なり、他の構成は同様である。なお、図１１はナット部材の一部を削除してその内部を示したものである。
【００７４】
ナット部材４２は、台座部４３と、摘み部４４と、を有している。台座部４３は、前記実施形態と同様に、概略楕円形の板状に形成されている。台座部４３の基本的な構成は、前記実施形態と同様であり、図６で示したように、中央部に孔が形成され、さらに孔には雌ねじ部が形成されている。摘み部４４は、台座部４３側が開口する箱状の部材であり、２つのビス４５によって台座部４３に装着可能である。
【００７５】
摘み部４４の内部には、ハンドル軸８と交差する方向に延びるストッパ４７が回動自在に設けられている。ストッパ４７及びこのストッパ４７の先端に形成された爪４７ａをギア部１５側に付勢する板ばね４８の構成は、前記実施形態において図４で示した構成と同様である。
【００７６】
摘み部４４の一端部には、係合解除用の押ボタン５０（切換操作手段）が設けられている。この押しボタン５０は、摘み部４４の側面に、一部が摘み部４４の側面から突出するように、かつ進退自在に設けられている。そして、摘み部４４の内部には、押しボタン５０を外部に向けて付勢するコイルスプリング５１が設けられている。したがって、押しボタン５０は、コイルスプリング５１によって常に外部に突出するように付勢されており、外部から押しボタン５０を押すことによって、押しボタン５０は摘み部４４の内部に移動する。
【００７７】
押しボタン５０には、摘み部４４の内部において突起５０ａが設けられている。この突起５０ａは、ストッパ４７の他端４７ｂに当接している。そして、押しボタン５０を押すことによって、ストッパ４７は回動し、先端の爪４７ａのギア部１５の歯に対する係合が解除される。
【００７８】
このような実施形態では、摘み部４４を持ってナット部材４２を締め込む方向に回転させた場合は、前記実施形態と同様に、ストッパ４７の爪４７ａは、板ばね４８の付勢力に抗してギア部１５の歯を乗り越え、回転が許容される。一方、ナット部材４２が緩む方向に回転しようとすると、ストッパ４７の爪４７ａがギア部１５の歯に係合し、その回転が禁止される。したがって、ナット部材４２が緩むのが防止される。
【００７９】
また、ハンドルアーム１０の長さ調整等のためにナット部材４２を緩める場合は、まず、押しボタン５０を押す。これにより、ストッパ４７が回動し、爪４７ａのギア部１５の歯への係合が解除される。この状態では、ナット部材４２は緩める方向への回転が可能になる。したがって、ナット部材４２を緩めてハンドルアーム１０をハンドル軸８から離し、ハンドルアーム１０の長さを変更することができる。
【符号の説明】
【００８０】
１  両軸受型リール
２  リール本体と、
８  ハンドル軸
１０  ハンドルアーム
１０ｃ  長孔
１１  ハンドル把手
１２，４２  ナット部材
１５  ギア部（緩み止め用係合部）
１６  雄ねじ部
１７  係合部
２１  本体部
２１ｃ  雌ねじ部
２２  レバー部
２２ｄ  凹部
２４，４７  ストッパ（緩み止め部材）
２４ａ，４７ａ  爪
２７，４８  板ばね
３０  維持機構
３１  ピン
３２  コイルスプリング
３５  歯
３６  スプライン軸
３８  溝付プレート
３８ｄ  溝
４１  ばね
５０  押しボタン
５１  コイルスプリング
【図１】
2014212770.tif 000003
【図２】
2014212770.tif 000004
【図３】
2014212770.tif 000005
【図４】
2014212770.tif 000006
【図５】
2014212770.tif 000007
【図６】
2014212770.tif 000008
【図７】
2014212770.tif 000009
【図８】
2014212770.tif 000010
【図９】
2014212770.tif 000011
【図１０】
2014212770.tif 000012
【図１１】
2014212770.tif 000013